(57)【特許請求の範囲】
【請求項１】
アームレストと該アームレストの長手方向と平行になるように前記アームレストに取り付けられたサポートアームとを備えた治療用椅子であって、
前記サポートアームが、前記アームレストの長手方向と平行になるように前記アームレストの外方側面から突出した突出位置と前記アームレストの長手方向と平行になるように前記アームレストの外方側面に近接した退避位置のいずれかを保持する位置決め機構を有していることを特徴とする治療用椅子。
【請求項２】
前記位置決め機構が、前記アームレスト内で前記アームレストの長手方向と交差する方向に進退可能なロックピンと、該ロックピンに軸支して前記サポートアームに設けたサポート支柱を有していることを特徴とする請求項１記載の治療用椅子。
【請求項３】
前記サポートアームが前記アームレストの外方側面から突出した突出位置に保持された際に、前記アームレストの動きを制止するロック機構を有していることを特徴とする請求項１または請求項２に記載の治療用椅子。
【請求項４】
前記アームレストが、前記治療用椅子のバックレストに対して所定角度範囲内で回動自在に軸支されていることを特徴とする請求項１から請求項３のいずれか１に記載の治療用椅子。
【請求項５】
前記アームレストが前記バックレストに対して略平行な位置に回動されて前記サポートアームが前記アームレストの外方側面から突出した突出位置に保持された際に、前記アームレストの回動を防止する回動ロック機構を有していることを特徴とする請求項４に記載の治療用椅子。
【請求項６】
前記回動ロック機構が、前記アームレスト内で前記アームレストの長手方向に交差する方向に進退可能なロックピンと、前記バックレストに設けて前記ロックピンの先端部と係合するロック受座からなることを特徴とする請求項５に記載の治療用椅子。
【発明の詳細な説明】
【技術分野】
【０００１】
本発明は、椅子に関し、より詳しくは、サポートアーム付きアームレストを備えた治療用椅子に関する。
【背景技術】
【０００２】
高齢者やハンディキャップのある患者は下肢筋力が低下していることが多く、歯科、眼科等の医療現場では、診療椅子への乗降途中などで姿勢を変える際に、まわりに身体を支えるものがないため、ふらついたり転倒したりする事故が増えている。
【０００３】
このため、例えば、特許文献１には、歯科用診療椅子への乗降時に体を安定して支えるために、治療椅子のいずれか一方の側方前部に回動可能な手摺部材を設け、患者が治療椅子に乗降する際に、この手摺部材を患者の近くに回動し、患者が治療椅子に座った後に自動的に患者から離れた位置に回動することができる手摺部材を備えた治療椅子が開示されている。
【先行技術文献】
【特許文献】
【０００４】
【特許文献１】特開２００４−７３４１８号公報
【発明の概要】
【発明が解決しようとする課題】
【０００５】
特許文献１に開示された治療椅子では、患者は手摺部材を持てば体を安定して支えることができるが、治療椅子とは別に手摺部材を設ける必要があるため、費用がかかり広い設置スペースが必要であった。
【０００６】
一方、歯科治療ユニットには、右側や両側のアームレストが無い機種もあり、退出時にアームレストに掴まって立ち上がることができない場合がある。
さらに、アームレストの無い歯科治療ユニットでは、うがいや退出の際に患者が起き上がることが難しかったり、左肘に体重を掛けて姿勢を保持することができなかったりするため、ハンディキャップのある患者はもちろん一般的に筋力の低下が見られる高齢の患者が、うがい姿勢を保つことや自力での退出が困難な場合がある。
【０００７】
また、患者の頭部が１２時の位置にあるとした場合に、術者が９時１０時のポジションで診療を行う際、患者に近づいて治療するため、右側のアームレストが無い歯科用ユニットでは、術者はアームレストに寄り掛かれないので、術者は患者に接触して患者に不快感を与えないよう、無理な姿勢で診療する必要があった。
【０００８】
このため、治療椅子にはアームレストを備えることが望ましいが、左右にアームレストを備える歯科用ユニットであっても、椅子シャーシ（コンターシート）に固定されたアームレストが可動しない場合、立位診療や半水平位診療、水平診療のようにバックレストの角度が変わることで、患者のアームレストとして最適な位置を維持できないだけでなく、退出時に患者の衣服にアームレスト先端が引っ掛かり、衣服が破れたり転倒したりしてしまうことがあった。
また、アームレストがバックレストに固定され、術者がアームレストにもたれかかることができた場合でも、患者に近づきすぎて患者に不快感を与える懸念があった。
【０００９】
本発明の目的は、これらの実情に鑑みてなされたものであり、術者の診療時にバックレストの角度にかかわらず術者がサポートアームによって患者との距離を適切に維持して最適な位置で術者の肘をサポートでき、さらに、患者の着座、退出時に患者がサポートアームに掴まって姿勢を保持できる治療用椅子を提供することである。
【課題を解決するための手段】
【００１０】
上記課題を解決するために、請求項１の発明は、アームレストと該アームレストの長手方向と平行になるように前記アームレストに取り付けられたサポートアームとを備えた治療用椅子であって、前記サポートアームが、前記アームレストの長手方向と平行になるように前記アームレストの外方側面から突出した突出位置と前記アームレストの長手方向と平行になるように前記アームレストの外方側面に近接した退避位置のいずれかを保持する位置決め機構を有していることを特徴とするものである。
【００１１】
請求項２の発明は、請求項１の発明に係る構成に加えて、前記位置決め機構が、前記アームレスト内で前記アームレストの長手方向と交差する方向に進退可能なロックピンと、該ロックピンに軸支して前記サポートアームに設けたサポート支柱を有していることを特徴とするものである。
【００１２】
請求項３の発明は、請求項１または請求項２の発明に係る構成に加えて、前記サポートアームが前記アームレストの外方側面から突出した突出位置に保持された際に、前記アームレストの動きを制止するロック機構を有していることを特徴とするものである。
【００１３】
請求項４の発明は、請求項１から請求項３のいずれか１の発明に係る構成に加えて、前記アームレストが、前記治療用椅子のバックレストに対して所定角度範囲内で回動自在に軸支されていることを特徴とするものである。
【００１４】
請求項５の発明は、請求項４の発明に係る構成に加えて、前記アームレストが前記バックレストに対して略平行な位置に回動されて前記サポートアームが前記アームレストの外方側面から突出した突出位置に保持された際に、前記アームレストの回動を防止する回動ロック機構を有していることを特徴とするものである。
【００１５】
請求項６の発明は、請求項５の発明に係る構成に加えて、前記回動ロック機構が、前記アームレスト内で前記アームレストの長手方向に交差する方向に進退可能なロックピンと、前記バックレストに設けて前記ロックピンの先端部と係合するロック受座からなることを特徴とするものである。
【発明の効果】
【００１６】
本発明によれば、術者が診療中に患者との接触を避けたい場合に、アームレストから突出した突出位置にサポートアームを保持でき、術者はこのサポートアームに寄りかかれるため、術者は無理な姿勢をしないで診療に集中できる。
また、診療でサポートアームが邪魔な場合は、サポートアームをアームレストの外方側面に近接した退避位置に保持させることで、サポートアームが診療を妨げにならないようにできる。
【００１７】
さらに、本発明の治療用椅子は、バックレストを起こした状態で、サポートアームをアームレストの外方側面から突出した突出位置に保持させることで、患者が治療用椅子に着座・退出の際に、患者がアームレストに掴まって座ったり、立ち上がったりすることができるため、高齢の患者やハンディキャップのある患者を安全に治療用椅子に案内することができ、事故の発生を防ぐことができる。
【図面の簡単な説明】
【００１８】
【図１】本発明の一例に係る歯科治療用椅子の斜視図。
【図２】本発明の一例に係る歯科治療用椅子のサポートアーム付きアームレストの操作説明図。
【図３】本発明の一例に係る歯科治療用椅子において、サポートアームが退避位置にある際の側面図。
【図４】本発明の一例に係る歯科治療用椅子において、サポートアームが退避位置にある際の位置決め機構を説明するための図。
【図５】本発明の一例に係る歯科治療用椅子において、サポートアームが突出位置にあるときの側面図。
【図６】本発明の一例に係る歯科治療用椅子において、サポートアームが突出位置にある際の位置決め機構の説明図。
【図７】本発明の一例に係る歯科治療用椅子のサポートアームの位置決め機構の構成部材の説明図。
【図８】本発明の一例に係る歯科治療用椅子において、アームレストを跳ね上げた状態で、サポートアームを突出位置に保持した際の側面図。
【図９】図８を歯科治療用椅子の正面図。
【発明を実施するための形態】
【００１９】
以下、図面を参照しながら、本発明の歯科治療用椅子に係る好適な実施形態について説明する。
以下の説明において、異なる図面においても同じ符号を付した構成は同様のものであるとして、その説明を省略する場合がある。
なお、以下の説明では、歯科治療椅子を例に説明するが、本発明は、歯科治療椅子に限定されることはなく、他の治療用椅子にも適用が可能である。
【００２０】
図１は、本発明の一例に係る歯科治療用椅子の斜視図であり、図２は、本発明の一例に係る歯科治療用椅子のサポートアーム付きアームレストの操作を説明するための図である。
歯科治療用椅子１は、コンターシート２、バックレスト３、ヘッドレスト４、レッグレスト５、フットレスト６、基台７、サポートアーム付きアームレスト（以下、単に「アームレスト」ということがある。）１００、および、アームレスト２００を備えている。
歯科治療用椅子の場合、歯科治療ユニットを構成する、図示しない、例えば、エアータービン、マイクロエンジン、超音波スケーラ、マルチシリンジ等が搭載されているワークテーブルや、スピットン、無影灯装置などが、歯科治療用椅子の周辺に設置される。
【００２１】
サポートアーム付きアームレスト１００は、本実施形態では、回動軸１０１を介してバックレスト３に所定角度の範囲内で回動可能に設けられている。
また、アームレスト２００も回動軸２０１を介してバックレスト３に設けられている。
なお、サポートアーム付きアームレスト１００とアームレスト２００とは、椅子１の左右反対に設けられていてもよい。
【００２２】
なお、サポートアーム付きアームレスト１００とアームレスト２００とは、初期状態において、コンターシート２と略平行な水平位置になるように構成されている。
アームレスト２００は、アームレスト２００に回動自在に設けたリンク用支柱２０２を介してコンターシート２内に設けた図示しないリンク機構の一部に接続され、アームレスト２００の回動軸２０１は、バックレスト３に設けた図示しないリンク機構の一部に接続されている。
そして、アームレスト２００は、バックレスト３を傾けた際にもこのリンク機構によって水平位置を保つように構成されている。
また、サポートアーム付きアームレスト１００も図示しない連動機構によってアームレスト２００に連動して、バックレスト３を傾けた際に水平位置を保つように構成されている。
さらに、サポートアーム付きアームレスト１００は、水平状態に維持された状態から、後述するように跳ね上げることが可能に構成されている。
【００２３】
図１に示す歯科治療用椅子１は、着座ないし退出時の際のポジションを示しており、サポートアーム付きアームレスト１００は跳ね上げた状態となっている。
アームレスト１００には、棒状のサポートアーム１０がアームレスト１００の長手方向と平行になるように設けられており、図１（Ａ）では、サポートアーム１０が、アームレスト１００の外方側面に近接した退避位置に保持されている。
この状態では、図２（Ａ）に示すように、サポートアーム１０に設けた２本のサポート支柱２０，２０’がアームレスト１００の基部５０に接触するように向けられている。
本説明では、サポートアーム１０のアームレスト１００の外方側面に近接した位置を退避位置と呼ぶ。
なお、サポートアーム１０の外周には、衛生面を考慮して、滅菌可能な材料、例えば、シリコン樹脂からなる割り筒部材を装着したり、抗菌材料からなるコーティングを施したりすることができる。
【００２４】
そして、サポートアーム１０を図１（Ａ）に示す矢印Ｘ方向に回動させると、サポートアーム１０は、図１（Ｂ）に示すように、アームレスト１００の外方側面から突出した突出位置に保持される。
この状態では、図２（Ｂ）に示すように、サポートアーム１０に設けた２本のサポート支柱２０，２０’が、アームレスト１００の基部５０に対して垂直方向に向けられる。
本説明では、サポートアーム１０のアームレスト１００の外方側面から突出した位置を突出位置と呼ぶ。
また、後述する所定のロック解除動作とともに、サポートアーム１０を図１（Ｂ）に示す矢印Ｙ方向に回動させると、サポートアーム１０は、図１（Ａ）に示す退避位置に保持される。
サポートアーム１０の位置決め機構については、後で詳述する。
【００２５】
患者が歯科治療用椅子１に着座する際には、バックレスト３を起こすとともに、アームレスト１００を跳ね上げることで、アームレスト１００が着座の邪魔にならないようにする。
そして、サポートアーム１０を突出位置に回動させロックする。
これによって、患者は、サポートアーム１０を掴むことで安全に着座できる。
アームレスト１００が回動軸１０１に対して回動するのを防止する回動ロックの機構については、後述する。
【００２６】
患者が歯科治療用椅子１に着座した後は、サポートアーム１０を退避位置に移動するとともに、跳ね上げてあったアームレスト１００をコンターシート２とほぼ平行になる水平位置、すなわち、初期状態にまで戻す。
さらに、ヘッドレスト４を上下動させてヘッドレスト４を患者の頭部にフィットさせ、次いで、歯科治療用椅子１全体を上昇させ、あるいは、歯科治療用椅子１のバックレスト３を任意の位置に寝かせ、コンターシート２をチルトさせたりすることで、患者を診療しやすい位置に移動させる。
【００２７】
次に、サポートアーム１０の位置決め機構について説明する。
図３は、本発明の一例に係る歯科治療用椅子において、サポートアームが退避位置にある際の側面図であり、図４は、本発明の一例に係る歯科治療用椅子において、サポートアームが退避位置にある際の位置決め機構を説明するための図である。
また、図７は、本発明の一例に係る椅子のサポートアームの位置決め機構の構成部材を説明するための図である。
【００２８】
図３は、歯科治療用椅子１の初期状態を示し、バックレスト３は、起立した状態にあり、サポートアーム１０は、アームレスト１００の基部５０の外方側面に近接した退避位置にある。
アームレスト１００は、その基部５０に、例えば、クッション性のある肘受け部１０２が設けられている。
アームレスト１００は、本実施形態では、バックレスト３に対して回動軸１０１を介して回動自在に設けられている。
また、バックレスト３には、アームレスト１００が位置する側面にロック受座３００が設けられ、ロック受座３００には、第１ロックピン３０の先端部３２と係合する係合孔３０１が設けられている。
【００２９】
サポートアーム１０には、２本のサポート支柱２０，２０’が固着されているが、以下、バックレスト３に近いサポート支柱２０側の構成について説明する。
サポート支柱２０の一方の端部には、サポートアーム１０が固着されている。
図７に示すように、サポート支柱２０の他方の端部には割り溝２１が形成され、割り溝２１の両側には、テーパーピン２３を通す孔２２が設けられている。
【００３０】
第１ロックピン３０の端部には、サポート支柱２０の割り溝２１に挿入される突出部３４が形成され、この突出部３４には、テーパーピン２３を通す孔３５が設けられている。
割り溝２１内に突出部３４を挿入し、テーパーピン２３を孔２２と３５に通すことによって、サポート支柱２０の他方の端部は、第１ロックピン３０の端部に回動自在に軸支される。
また、テーパーピン２３で回動自在に結合されたサポート支柱２０と第１ロックピン３０の結合部分付近は、両者の外形が同じ形状と大きさになるように構成されている。
【００３１】
第１ロックピン３０の突出部３４とは反対側の先端部３２は、ロック受座３００の係合孔３０１とスムーズに係合するように丸く形成されている。
また、第１ロックピン３０の先端部３２に近い位置には、後述するバネ部材４０を受ける鍔部３１が設けられている。
さらに、第１ロックピン３０の突出部３４に近い箇所には、第１ロックピン３０の移動を防止するために用いられるロック用孔３３が設けられている。
【００３２】
アームレスト１００の基部５０には、アームレスト１００の長手方向と直交する方向に開口部５１とこの開口部５１に連通する摺動孔５２が設けられ、第１ロックピン３０は、鍔部３１が開口部５１内に位置するように摺動孔５２に挿通される。
開口部５１の底部と第１ロックピン３０の鍔部３１との間には、バネ部材４０が配設され、第１ロックピン３０を開口部５１の開口側に付勢している。
開口部５１の開口側にはネジが切られ、第１ロックピン３０の先端部３２が挿通する孔を有するネジ部材５４によって閉じられている。
このように、第１ロックピン３０は、アームレスト１００内でアームレスト１００の長手方向と交差する方向に進退可能に保持され、バネ部材４０によって先端部３２が基部５０から突出するように付勢されている。
【００３３】
図３、図４に示すようにサポートアーム１０が退避位置にある場合、サポート支柱２０は、アームレスト１００の基部５０の外方側面に沿った位置に回動されている。
このため、第１ロックピン３０の長手方向に交差するサポート支柱２０によって、第１ロックピン３０はバネ部材４０の付勢力に抗して引っ込んだ状態にあり、第１ロックピン３０の先端部３２が基部５０から突出することはない。
サポートアーム１０を退避位置から突出位置に移動させるためには、サポートアーム１０を図４に示す矢印Ｘ方向に回動させる。
この回動操作をスムーズに行うために、アームレスト１００の摺動孔５２のサポートアーム１０の退避位置側には、曲面Ｒが形成されている。
【００３４】
図５は、本発明の一例に係る歯科治療用椅子において、サポートアームが突出位置にある際の側面図であり、図６は、本発明の一例に係る歯科治療用椅子において、サポートアームが突出位置にある際の位置決め機構を説明するための図である。
サポートアーム１０を図４に示す矢印Ｘ方向に回動させると、図６に示すように、第１ロックピン３０とサポート支柱２０とが直線状となるため、第１ロックピン３０とサポート支柱２０とがバネ部材４０の付勢力によって、矢印Ｚ方向に移動し、第１ロックピン３０の先端部３２が基部５０から突出する。
また、サポート支柱２０の割り溝２１を設けた部分は、摺動孔５２内に引き込まれる。
【００３５】
アームレスト１００の基部５０には、摺動孔５２と直交する向きに摺動孔５２に連通する所定形状の開口部５３が設けられている。
そして、この開口部５３内に、鍔部６１を有する第２ロックピン６０が設けられ、第２ロックピン６０の鍔部６１と開口部５３の開口側に設けたネジ部材５５との間には、第２ロックピン６０を摺動孔５２側に向けて付勢するバネ部材７０が配設されている。
【００３６】
そして、サポートアーム１０が突出位置に回動された場合、第１ロックピン３０に設けたロック用孔３３に第２ロックピン６０の先端部６２が係合するようになっており、ロック用孔３３と第２ロックピン６０の先端部６２との係合によって、第１ロックピン３０は、進退方向の動きが制止される。
このため、サポートアーム１０が突出位置まで回動されると、第１ロックピン３０の動きが制止され、これによって、サポート支柱２０とサポートアーム１０の動きが制止される。
したがって、サポートアーム１０が突出位置にある場合、サポートアーム１０はアームレスト１００に対して動くことがないため、術者は、安心してサポートアーム１０にもたれ掛かかることができる。
【００３７】
サポートアーム１０を突出位置から退避位置にするためには、第２ロックピン６０を引っ張り、第２ロックピン６０の先端部６２と第１ロックピン３０のロック用孔３３との係合を解いた状態で、サポートアーム１０を図６に示す矢印Ｙ方向に若干引きながら回動させる。
その際、サポート支柱２０はアームレスト１００の基部５０の摺動孔５２に設けた曲面Ｒに沿って回動するため、第１ロックピン３０は、図６に示すＺ方向とは反対の方向に移動する。
サポートアーム１０が退避位置まで回動すると、第１ロックピン３０とサポートアーム１０は、図４で説明した状態で安定する。
【００３８】
次に、着座ないし退出時の際のアームレスト１００のポジションについて説明する。
図８は、本発明の一例に係る歯科治療用椅子において、アームレストを跳ね上げた状態で、サポートアームを突出位置にした際の側面図であり、図９は、図８を歯科治療用椅子の正面から見た図である。
図８、図９は、図１（Ｂ）に示した斜視図と同じ状態を示している。
【００３９】
アームレスト１００は跳ね上げると、アームレスト１００がバックレスト３の側面と略平行となる状態まで回動するようになっている。
この状態で、サポートアーム１０を突出位置まで回動すると、第１ロックピン３０の先端部３２がアームレスト１００の基部５０からバックレスト３側に突出するため、第１ロックピンの先端部３２は、バックレスト３の側面に設けたロック受座３００の係合孔３０１と係合する。
この係合により、アームレスト１００は、回動軸１０１を中心とする回動が防止される。
【００４０】
この状態では、先述したように、第１ロックピン３０に設けたロック用孔３３に第２ロックピン６０の先端部６２が係合するため、第１ロックピン３０は、進退方向の動きが制止される。
これによって、サポート支柱２０とサポートアーム１０の動きが制止される。
したがって、サポートアーム１０は、図８、図９に示す突出位置から動くことがないため、患者は、安心してサポートアーム１０を掴んで歯科治療用椅子１に着座または退出することができる。
【００４１】
アームレスト１００を図８、図９に示す状態から図３に示す状態に戻す場合は、第２ロックピン６０を引っ張り、第２ロックピン６０の先端部６２と第１ロックピン３０のロック用孔３３との係合を解いた状態で、サポートアーム１０を退避位置まで回動させる。
この操作によって、第１ロックピンの先端部３２とロック受座３００の係合孔３０１との係合が解かれるため、アームレスト１００は、回動軸１０１を中心とする回動可能となり、図３に示す初期位置まで回動させることができる。
【００４２】
以上、アームレスト１００に設けたサポートアーム１０の一方のサポート支柱２０側の構成について説明したが、他方のサポート支柱２０’側の構成は、アームレスト１００の基部５０から突出する第１ロックピン３０の先端部３２を有していない他は、一方のサポート支柱２０の構成と、ほぼ同じ構成となっている。
【００４３】
上記の実施形態では、サポート支柱２０、第１ロックピン３０、バネ部材４０、および、基部５０が、本発明のサポートアーム１０の位置決め機構を構成している。
また、基部５０、第２ロックピン６０、バネ部材７０、および、第１ロックピン３０のロック用孔３３が、本発明のロックピンの動きを制止するロック機構を構成している。
さらに、第１ロックピン３０とロック受座３００とが、本発明の回動ロック機構を構成している。
【符号の説明】
【００４４】
１・・・歯科治療用椅子
２・・・コンターシート
３・・・バックレスト
４・・・ヘッドレスト
５・・・レッグレスト
６・・・フットレスト
７・・・基台
１０・・・サポートアーム
２０・・・サポート支柱
２０'・・・サポート支柱
２１・・・割り溝
２２・・・孔
２３・・・テーパーピン
３０・・・第１ロックピン
３１・・・鍔部
３２・・・先端部
３３・・・ロック用孔
３４・・・突出部
３５・・・孔
４０・・・バネ部材
５０・・・基部
５１・・・開口部
５２・・・摺動孔
５３・・・開口部
５４・・・ネジ部材
５５・・・ネジ部材
６０・・・第２ロックピン
６１・・・鍔部
６２・・・先端部、
７０・・・バネ部材、
１００・・・アームレスト（サポートアーム付きアームレスト）
１０１・・・回動軸
１０２・・・肘受け部
２００・・・アームレスト
２０１・・・軸、
２０２・・・リンク用支柱
３００・・・ロック受座
３０１・・・係合孔
【図１】
0006906218.tif 000002
【図２】
0006906218.tif 000003
【図３】
0006906218.tif 000004
【図４】
0006906218.tif 000005
【図５】
0006906218.tif 000006
【図６】
0006906218.tif 000007
【図７】
0006906218.tif 000008
【図８】
0006906218.tif 000009
【図９】
0006906218.tif 000010